(57)【要約】【課題】箱を用いることで書籍と円盤型記録媒体とを組み合わせて収納できて、書籍購入者も円盤型記録媒体を使用するときにその円盤型記録媒体を単独で取り扱い易くなる利点を活かしつつ、書籍商品の外観から円盤型記録媒体の有無が容易に判断できるようにし、書籍と円盤型記録媒体との組み合わせにおいて書店やコンビニエンスストアなどの書籍取り扱い店や書籍流通業者など、そして書籍購入者も管理し易い組み合わせ形態を提供する。【解決手段】箱本体２の出し入れ口１０を、箱本体２にファスナ部１３を介して連接した仕切り板１４により書籍出し入れ口１７と円盤型記録媒体出し入れ口１８とに分け、円盤型記録媒体出し入れ口１８をファスナ部１３で閉じて、ファスナ部１３が存在する円盤型記録媒体出し入れ口１８の閉鎖により、円盤型記録媒体収納部２０からの円盤型記録媒体４の取り出しを不能にした。【選択図】    図１
2006123968.tif 000002
【特許請求の範囲】
【請求項１】
天面板と底面板と前面板と背面板と側面板とからなり、前記側面板に対向する一側面に出し入れ口が開放された箱本体の前記前面板と背面板との少なくとも一方の出し入れ口側の辺部に、出し入れ口に位置して不連続なカット目を二条にして並べてなるファスナ部を介して仕切り板を分離可能に連接し、該仕切り板を箱本体の内部収納空間に差し入れて、前記出し入れ口を、開放された書籍出し入れ口と前記ファスナ部にて閉じられている円盤型記録媒体出し入れ口とに仕切って、箱本体の内部収納空間に、前記書籍出し入れ口に連続する書籍収納部と、前記円盤型記録媒体出し入れ口に連続して円盤型記録媒体が収納されている円盤型記録媒体収納部とを設け、
前記ファスナ部が存在する円盤型記録媒体出し入れ口の閉鎖により、円盤型記録媒体収納部からの円盤型記録媒体の取り出しを不能にした構成を有することを特徴とする円盤型記録媒体の収納体。
【請求項２】
上記円盤型記録媒体は円盤型記録媒体保持体に保持されていて、該円盤型記録媒体保持体は、上記円盤型記録媒体収納部に収納される大きさの台板に円盤型記録媒体を配置できる収納凹部を設けてなるものである請求項１に記載の円盤型記録媒体の収納体。
【請求項３】
上記箱本体の円盤型記録媒体収納部に配置された円盤型記録媒体保持体は箱本体に枢支されて、上記ファスナ部の切り取りによる円盤型記録媒体出し入れ口の開放状態時に、円盤型記録媒体収納体が円盤型記録媒体出し入れ口から外部に回動引き出し可能に設けられている請求項２に記載の円盤型記録媒体の収納体。
【請求項４】
円盤型記録媒体収納部に収納された円盤型記録媒体に対応する上記箱本体の面板に前記円盤型記録媒体が目視できる窓部が設けられ、上記ファスナ部の切り取りによる円盤型記録媒体出し入れ口の開放状態時に前記窓部を通して円盤型記録媒体保持体に対する円盤型記録媒体出し入れ口側への送り出し操作が可能である構成とした請求項３に記載の円盤型記録媒体の収納体。
【請求項５】
請求項１から４の何れか一項の収納体における書籍収納部に書籍を出し入れ可能に収納し、書籍収納部に収納された書籍により箱本体の奥行方向に円盤型記録媒体を移動可能に案内するガイド面を形成したことを特徴とする書籍体。
【発明の詳細な説明】
【技術分野】
【０００１】
本発明はＣＤ−ＲＯＭやＤＶＤ−ＲＯＭなどの円盤型記録媒体を収納する収納体と書籍体に関するものである。
【背景技術】
【０００２】
近年においては、ＣＤ−ＲＯＭやＤＶＤ−ＲＯＭに多くの電子データを記録できる点と、このＣＤ−ＲＯＭやＤＶＤ−ＲＯＭなどの円盤型記録媒体に記録された電子データを再生表示する高性能のパソコンやプレイヤーなどの機器が広く一般に普及した点とから、この円盤型記録媒体にデータ量の大きい各種画像データや動画データ、サウンドデータを記録することが行われるようになり、円盤型記録媒体からなる商品として価格が比較的高い商品が多くなってきている。そして、このような商品を利用し易くするためにレンタル形態とする場合も多くなってきており、レンタル業務を行なう部所などでは、貸与者側の管理のし易さや借り手側の取り扱い易さなどを考慮して、円盤型記録媒体を専用ケースに収めた商品をさらに収納兼展示用ケースに入れて陳列することが行われている（特許文献１、２参照）。
また上述した円盤型記録媒体に着目して書籍の販売に関してこの円盤型記録媒体も情報提供の媒体として利用することが考慮されるようになってきている。例えば、書籍に掲載した情報の関連情報を円盤型記録媒体に記録し、これを書籍に組み合わせて販売することも試みられるようになってきており、前記円盤型記録媒体を組み合わせることで書籍の商品性を高める上で効果がある。
そして、円盤型記録媒体と書籍とを組み合わせる技術としては、厚紙などで形成されて円盤型記録媒体を取り外し可能に保護する部材を表紙や裏表紙に一体にするものがある（例えば特許文献３）。
上記組み合わせ形態は書籍と円盤型記録媒体とを一体的なものとしているが、書籍購入者側では円盤型記録媒体を使用する度ごとに書籍から取り出したり書籍に戻したりする必要が生じて取り扱いが煩雑になる。そこで、上装本や辞書などで用いられているように書籍を収納する厚紙の紙箱を利用して書籍と円盤型記録媒体とを一つにまとまるようにする技術も提案されていて（特許文献４参照）、このようにすれば、書籍を取り扱うことなく円盤型記録媒体を直接出し入れでき、通常の合成樹脂製の専用ケースを組み合わせる必要もないものとなる。
【特許文献１】特開平０９−３１５４２５号公報
【特許文献２】特開平０９−３１５４２４号公報
【特許文献３】実用新案登録第３０７７０７３号
【特許文献４】実用新案登録第３０７３６８０号
【発明の開示】
【発明が解決しようとする課題】
【０００３】
しかしながら上記紙箱を用いて書籍と円盤型記録媒体とを組み合わせる形態で書店などにおいて陳列販売した場合、円盤型記録媒体の取り出しが容易であるため、その円盤型記録媒体のみが不正に抜き取られ易くなり、特に上述したように円盤型記録媒体としてＤＶＤ−ＲＯＭを利用して動画データやサウンドデータを収録したものでは、その円盤型記録媒体の製作コスト自体が高いものとなっていて、不正に抜き取りされた場合の損害が大きくなるという問題がある。さらに、円盤型記録媒体が不正に抜き取られた場合でも紙箱に書籍が収納されている状態の外観からは、不正に抜き取られたことを判断することができない。よって書店などが返本する場合、販売店と返本行程における各段階とでこれらの書籍商品を一つひとつ検査する必要が生じることになり、煩雑な手間を要するものとなる。
そこで本発明は上記事情に鑑み、箱を用いることで書籍と円盤型記録媒体とを組み合わせて収納できて、書籍購入者も円盤型記録媒体を使用するときにその円盤型記録媒体を単独で取り扱い易くなる利点を活かしつつ、書籍商品の外観から円盤型記録媒体の有無が容易に判断できるようにすることを課題とし、書籍と円盤型記録媒体との組み合わせにおいて書店やコンビニエンスストアなどの書籍取り扱い店や書籍流通業者など、そして書籍購入者も管理し易い組み合わせ形態を提供することを目的とする。
【課題を解決するための手段】
【０００４】
本発明は上記課題を考慮してなされたもので、天面板と底面板と前面板と背面板と側面板とからなり、前記側面板に対向する一側面に出し入れ口が開放された箱本体の前記前面板と背面板との少なくとも一方の出し入れ口側の辺部に、出し入れ口に位置して不連続なカット目を二条にして並べてなるファスナ部を介して仕切り板を分離可能に連接し、該仕切り板を箱本体の内部収納空間に差し入れて、前記出し入れ口を、開放された書籍出し入れ口と前記ファスナ部にて閉じられている円盤型記録媒体出し入れ口とに仕切って、箱本体の内部収納空間に、前記書籍出し入れ口に連続する書籍収納部と、前記円盤型記録媒体出し入れ口に連続して円盤型記録媒体が収納されている円盤型記録媒体収納部とを設け、前記ファスナ部が存在する円盤型記録媒体出し入れ口の閉鎖により、円盤型記録媒体収納部からの円盤型記録媒体の取り出しを不能にした構成を有することを特徴とする円盤型記録媒体の収納体を提供して、上記課題を解消するものである。
【０００５】
そして、本発明において、上記円盤型記録媒体は円盤型記録媒体保持体に保持されていて、該円盤型記録媒体保持体は、上記円盤型記録媒体収納部に収納される大きさの台板に円盤型記録媒体を配置できる収納凹部を設けてなるものであることが良好である。
また、本発明において、上記箱本体の円盤型記録媒体収納部に配置された円盤型記録媒体保持体は箱本体に枢支されて、上記ファスナ部の切り取りによる円盤型記録媒体出し入れ口の開放状態時に、円盤型記録媒体収納体が円盤型記録媒体出し入れ口から外部に回動引き出し可能に設けられているものであることが良好である。
さらに、本発明において、円盤型記録媒体収納部に収納された円盤型記録媒体に対応する上記箱本体の面板に前記円盤型記録媒体が目視できる窓部が設けられ、上記ファスナ部の切り取りによる円盤型記録媒体出し入れ口の開放状態時に前記窓部を通して円盤型記録媒体保持体に対する円盤型記録媒体出し入れ口側への送り出し操作が可能である構成とすることが良好である。
【０００６】
さらにもう一つの発明は、上記収納体における書籍収納部に書籍を出し入れ可能に収納し、書籍収納部に収納された書籍により箱本体の奥行方向に円盤型記録媒体を移動可能に案内するガイド面を形成したことを特徴とする書籍体であり、この書籍体を提供して上記課題を解消するものである。
【発明の効果】
【０００７】
請求項１の発明によれば、正規の書籍商品での収容体に対して、箱本体の円盤型記録媒体収納部に収容されている円盤型記録媒体を取り出すには、円盤型記録媒体収納部の円盤型記録媒体出し入れ口にあるファスナ部を切り取り操作を行なう必要があり、そのため、円盤型記録媒体を不正に取り出す行為を抑止する上で効果がある。また、ファスナ部を切り取ることで円盤型記録媒体収納部の円盤型記録媒体出し入れ口が開放され、円盤状記録媒体を出し入れする収納用具として利用できて、別途に専用ケースを用意する必要がない。さらに、ファスナ部を切り取ることでそのファスナ部自体が箱本体の出し入れ口に存在しないようになり、そして、ファスナ部を切り取った後にはその破断跡が箱本体の出し入れ口に生じるようになる。よって、箱本体の出し入れ口側が見える状態で陳列したり、返本を検査する時にその箱本体の出し入れ口が見える状態で商品を並べるだけで、ファスナ部の有無や破断跡の発生の有無から、円盤型記録媒体が抜き取られているかどうかの検査が行なえ、商品として不良状態となっているものを容易に識別できるようになる。
【０００８】
また、請求項２の発明によれば、円盤型記録媒体を円盤型記録媒体保持体で保持することにより、円盤型記録媒体の出し入れに際して記録面に擦り傷などが付くのを防止でき、記録情報を安全に保護できる。
【０００９】
また、請求項３の発明によれば、箱本体に記録媒体保持体を枢支することで、円盤型記録媒体保持体の箱本体に対する出し入れ操作が容易となり、そして、箱本体から円盤型記録媒体保持体が抜け落ちることも確実に防止できる。さらには箱本体と円盤型記録媒体保持体とを組み合わせて保管管理する手間が軽減できる。
【００１０】
また、請求項４の発明によれば、箱本体の面板に円盤型記録媒体が目視できる窓部を設けることで、ＣＤ−ＲＯＭやＤＶＤ−ＲＯＭなどの円盤型記録媒体を有する商品であることを看者に明確に伝えることができ、購買意欲を高める効果がある。そして、ファスナ部を切り取った後、その窓部を通しての送り出し操作で円盤型記録媒体保持体を取り出し易い状態にすることができ、箱本体の取り出し口が狭い場合でも指先などをその取り出し口に差し入れる必要がなくなる。
【００１１】
また、請求項５の発明によれば、円盤型記録媒体を箱本体の奥行方向に移動させるときに、書籍収納部に位置する書籍自体が円盤型記録媒体の移動方向を適正にして、出し入れ操作を簡単にする。
【発明を実施するための最良の形態】
【００１２】
つぎに本発明を図１から図５に示す実施の形態に基づいて詳細に説明する。
図中１は書籍体で、該書籍体１は厚紙からなる箱本体２に書籍３とＣＤ−ＲＯＭやＤＶＤ−ＲＯＭなどの円盤型記録媒体４とを組み合わせて収納したものである。前記箱本体２は天面板５と底面板６と前面板７と背面板８と側面板９とからなり、側面板９に対向する一側面に出し入れ口１０が開放されている。この箱本体２は図２に示されているように、前面板７と側面板９と背面板８とが折り罫を介して連接され、前面板７と側面板９と背面板８とのそれぞれの上辺部に折り罫を介して連接されている天面板構成片１１を相互に貼り合わせて天面板５を形成しているとともに、前面板７と側面板９と背面板８とのそれぞれの下辺部に折り罫を介して連接されている底面板構成片１２を相互に貼り合わせて底面板６を形成している。
また、箱本体２の背面板８の出し入れ口１０側の辺部に、出し入れ口１０の平面に位置するファスナ部１３を介して仕切り版１４が連接され、連接部分を構成しているファスナ部１３を折り返し位置とするようにして前記仕切り板１４が箱本体２の内部収納空間に差し入れられている。ファスナ部１３は略へ字状のカット目１５とタイ１６とを交互にしたカットラインを二条にして平行に配置したものであり、カットラインそれぞれを９０度の折り部とすることで前記仕切り板１４が箱本体２の内部収納空間に配されるようにしている。
さらに、仕切り板１４は箱本体２の高さ方向の寸法を背面板８の高さ方向の寸法より少し小さくするとともに、箱本体２の奥行方向（側面板９と出し入れ口１０とが対向する方向）の寸法が、出し入れ口１０の間口方向（前面板７と背面板８とが対向する方向）の寸法に比べて十分に大きく設定されていて、出し入れ口１０の位置から奥行方向の中間位置に達する長さとしている。
【００１３】
上述したように箱本体２では出し入れ口１０から仕切り板１４を折り返すようにして内部収納空間に差し入れていて、その仕切り板１４の上記ファスナ部１３側の辺部を出し入れ口１０に位置させることで、この出し入れ口１０が書籍取り出し口１７と円盤型記録媒体取り出し口１８とに仕切られ、箱本体２の内部収納空間に、開放した書籍出し入れ口１７に連続する書籍収納部１９と、ファスナ部１３によって閉じられた円盤型記録媒体出し入れ口１８に連続する円盤型記録媒体収納部２０とがそれぞれ奥行方向に形成されている（図３参照）。
仕切り板１４の奥行方向での寸法は側面板９に達する大きさであってもよい。また、円盤型記録媒体出し入れ口１８を閉じるファスナ部１３にあっては、書籍体１からなる書籍商品の購入者などの正規に資格のある者のみが、円盤型記録媒体収納部２０から円盤型記録媒体４を取り出すときに切り取ることができるものであればよく、タイ１６それぞれの長さ寸法は、ファスナ部１３の切り取り操作に或る程度の抵抗が生じる長さに設定されていて、これによって、ファスナ部１３を切り取ったときにはタイであった部分が凸となる破断跡Ａが背面板８の出し入れ口側の辺部に形成されるようにしている（図４参照）。
【００１４】
書籍体１では上記構造の箱本体２における書籍収納部１９に書籍３が出し入れ可能に収納されているとともに、円盤型記録媒体収納部２０にはこの円盤型記録媒体収納部２０の内部空間に合致した形状である後述の円盤型記録媒体保持体２１に保持された状態で円盤型記録媒体４が収納されている。そして上述したようにファスナ部１３が円盤型記録媒体収納部２０の円盤型記録媒体出し入れ口１８を閉じていることから、円盤型記録媒体４を不正に取り出そうとする場合でもファスナ部１３を切り取らなければならず、その不正行為を抑止する上で大きな効果がある。
また、書籍体１を返本の書籍商品として取り扱う場合、多くの書籍体１をその出し入れ口１０が見えるように並べてファスナ部１３の有無、破断跡の発生の有無を検査すればよく、円盤型記録媒体が抜き取られるなどした不良の書籍商品を簡単に識別でき、一つひとつの書籍体をチェックする手間を大幅に軽減できる。
【００１５】
一方、正規の購入者がファスナ部１３を切り取った後には、円盤型記録媒体保持体２１を伴った状態で円盤型記録媒体４を出し入れでき、別途の専用ケースを用いなくとも箱本体１を円盤型記録媒体４の収納用具として利用できる。また、本書籍体１にあっては、書籍収納部１９に書籍３が収納されている場合、その書籍３によって箱本体２の奥行方向に円盤型記録媒体４を円盤型記録媒体保持体２１に保持された状態で移動可能に案内するガイド面２２が形成され、これによって円盤型記録媒体４の箱本体２に対する出し入れ操作が頗る簡単になる。
【００１６】
上記円盤型記録媒体保持体２１は、上述したように円盤型記録媒体収納部２０に収納される大きさの台板２３に円盤型記録媒体を配置できる収納凹部２４を設け、この収納凹部２４に配置した円盤型記録媒体４を取り外し可能な透明カバー２５で覆うようにしたものである。前記台板２３は図５に示されているように三枚の厚板を重ね合わせたもので、下板２６に、円盤型記録媒体４がガタ付きなく位置することができるようにその円盤型記録媒体４の外周形状に対応した内孔２７が開口された中板２８を貼り合わせ、さらにこの中板２８に、前記内孔２７と同じ形状の開口２９にその径方向に対応する二位置に切り欠き３０を設け、開口２９の部分の裏面部分の断面形状を段状にした外孔３１を有する上板３２を貼り合わせたものである。そして、前記下板２６を底として内孔２７と外孔３１とが重なってなる収納凹部２４に円盤型記録媒体４を配置し、外孔３１の形状に対応した透明カバー２５を、その透明カバー２５の凸部３３を前記切り欠き３０に位置させた状態で円盤型記録媒体４に重ね、その後に透明カバー２５を回転させて凸部３３を開口２９の段部下に滑り込ませるようにすることで、円盤型記録媒体４が保持される。また、前記透明カバー２５の凸部３３を切り欠き３０の位置に合わせて透明カバー２５を外せば、円盤型記録媒体４を収納凹部２４から容易に取り外すことができる。
そして、このようにして円盤型記録媒体４を保持した円盤型記録媒体保持体２１を上記箱本体２の円盤型記録媒体収納部２０に出し入れするので、円盤型記録媒体４の記録面が保護され、記録情報の保護が確実なものとなる。
【００１７】
上記実施の形態では円盤型記録媒体保持体２１が箱本体２と分離するようにして円盤型記録媒体を箱本体に収納できるようにした収納体であったが、本発明の収納体では、円盤型記録媒体保持体２１を箱本体２と分離することなく出し入れする構成とすることも可能である。図６はその例を示していて、箱本体２における背面板８の出し入れ口１０側の下部にピン３４を介して円盤型記録媒体保持体２１を枢支して、上記ファスナ部１３を切り取って円盤型記録媒体出し入れ口１８を開放している時に、円盤型記録媒体保持体２１が前記円盤型記録媒体出し入れ口１８から外部に回動引き出し可能に設けられている。
この場合の円盤型記録媒体保持体２１は、回動して出し入れするときに天面板５にぶつからない形状とされ、また、枢着部側の角も丸みを持たせた形状としている。また、この円盤型記録媒体保持体２１における円盤型記録媒体４の保持形態は、上記実施の例とは異なっている。この例では、収納凹部２４の内周面が直接円盤型記録媒体４の外周を保持するものとしており、収納凹部２４にて直接的に保持された状態で配置されている円盤型記録媒体４を取り出すために透孔３５が開口され、回動引き出しした円盤型記録媒体保持体２１の裏側（収納凹部が位置する側とは反対側）から前記透孔３５に指を入れて円盤型記録媒体４を押し出すようにすることで、円盤型記録媒体４が取り外せるようにしている。円盤型記録媒体４を戻す場合にはこの円盤型記録媒体４を収納凹部２４に配して押し込むだけでよく、前述したように収納凹部２４の内周面が円盤型記録媒体４を直接保持する。
この例では箱本体２と円盤型記録媒体保持体２１とが連結された状態となっているため、両者の保管管理がより簡単になる。
【００１８】
箱本体２における円盤型記録媒体収納部２０側の面板、即ち背面板８には円盤型記録媒体収納部２０に位置したときの円盤型記録媒体４と対応するようにして窓部３６が開口されている。このように窓部３６が円盤型記録媒体収納部２０に収納されたときの円盤型記録媒体４と対応していることから、書店などでの陳列販売に際して購入者が書籍体１を手に取ったときにすぐにこの窓部３６を通して円盤型記録媒体４の存在を確認させることができて購入意欲を刺激できる。また、この実施の形態において、窓部３６には透明フィルムなどが張り付けられておらず、直接円盤型記録媒体４に触れることができるように設けられていて、この窓部３６を通して円盤型記録媒体保持体２１を、開放状態の円盤型記録媒体出し出し口１８側に送り出し操作ができるように設けられている。そのため、円盤型記録媒体保持体２１を引き出すために狭い円盤型記録媒体出し入れ口１８に指先などを無理に差し入れる必要はなく、窓部３６を通して円盤型記録媒体保持体２１を送り出すことで簡単に円盤型記録媒体４が取り出せるようにしている。なお、窓部３６の形状は、この窓部３６から直接、円盤型記録媒体４を取り出すことができない形状、大きさに設定されている。
【図面の簡単な説明】
【００１９】
【図１】本発明に係る書籍体の一例を示す説明図である。
【図２】一例における円盤型記録媒体収納体の箱本体を展開した状態で示す説明図である。
【図３】箱本体を横断面で示す説明図である。
【図４】円盤型記録媒体保持体が引き出された状態を示す説明図である。
【図５】円盤型記録媒体保持体を断面で示す説明図である。
【図６】他の実施の例を示す説明図である。
【符号の説明】
【００２０】
１…書籍体
２…箱本体
３…書籍
４…円盤型記録媒体
５…天面板
６…底面板
７…前面板
８…背面板
９…側面板
１０…出し入れ口
１３…ファスナ部
１４…仕切り板
１７…書籍出し入れ口
１８…円盤型記録媒体出し入れ口
１９…書籍収納部
２０…円盤型記録媒体収納部
２１…円盤型記録媒体保持体
２３…台板
２４…収納凹部
２５…透明カバー
３４…ピン
３６…窓部
【図１】
2006123968.tif 000003
【図２】
2006123968.tif 000004
【図３】
2006123968.tif 000005
【図４】
2006123968.tif 000006
【図５】
2006123968.tif 000007
【図６】
2006123968.tif 000008